(57)【要約】本発明は、一種以上の医薬用活性成分を顆粒形態で配合する方法であって、顆粒化すべき様々な成分を連続的に導入し、この混合物を、チャンバー及び少なくとも一つの回転式攪拌用アームを含む装置を用いて、有効量の結合剤の存在下で該顆粒が得られるまで顆粒化することを特徴とする当該方法に関係する。【特許請求の範囲】
【請求項１】
一種以上の医薬用活性成分を顆粒形態で配合する方法であって、顆粒化すべき様々な成分を連続的に導入して、この混合物を、一つのチャンバー及び少なくとも一つのロータリー攪拌用アームを含む装置を用いて、有効量の結合剤溶液の存在下で該顆粒が得られるまで顆粒化することを特徴とする当該方法。
【請求項２】
前記の顆粒の乾燥操作を顆粒化ステップに引き続いて連続的様式で行うことのできる、請求項１に記載の方法。
【請求項３】
医薬用物質を５０〜２５０ｋｇ／時の供給速度でチャンバーに導入する、請求項１又は２に記載の方法。
【請求項４】
回転式攪拌用アームを、約１００〜４００ｒｐｍの回転速度にする、前記の請求項の一つに記載の方法。
【請求項５】
顆粒化操作中、チャンバーを２０〜１５０℃の温度に維持する、前記の請求項の一つに記載の方法。
【請求項６】
結合剤溶液を、周囲温度以上で導入する、前記の請求項の一つに記載の方法。
【請求項７】
結合剤溶液を、別々にチャンバーに導入する、前記の請求項の一つに記載の方法。
【請求項８】
較正ステップ後に得られる顆粒の変動係数が、３０〜１００％に及び、好ましくは４０〜９０％に及ぶ、前記の請求項の一つに記載の方法。
【請求項９】
較正ステップ後に得られる顆粒の平均寸法ｄ５０が、３００〜５００μｍである、前記の請求項の一つに記載の方法。
【請求項１０】
活性物質を、非ステロイド系抗リウマチ薬及び抗炎症薬（ケトプロフェン、イブプロフェン、フルルビプロフェン、インドメタシン、フェニルブタゾン、アロプリノール、ナブメトンなど）、オピエート又は非オピエート鎮痛薬（パラセタモール、フェナセチン、アスピリンなど）、鎮咳薬（コデイン、コデシリン、アリメマジンなど）、向精神薬（トリミプラミン、アミネプチン、クロルプロマジン、フェノチアジン誘導体、ジアゼピン、ロラゼパム、ニトラゼパム、メプロバメート、ゾピクロン及びシクロピロロンファミリーの誘導体など）、ステロイド（ヒドロコルチゾン、コルチゾン、プロゲステロン、テストステロン、プレドニゾロン、トリアシノロン、デキサメタゾン、ベタメタゾン、パラメタゾン、フルオシノロン、ベクロメタゾンなど）、バルビツレート（バルビタール、アロバルビタール、フェノバルビタール、ペントバルビタール、アモバルビタールなど）、抗菌剤（ペフロキサシン、スパルフロキサシン、キノリンファミリーの誘導体、テトラサイクリン、シネルジスチン、メトロニダゾールなど）、アレルギー治療を意図した薬物、特に、抗喘息薬、抗痙攣薬及び抗分泌薬（オメプラゾール）、脳血管拡張薬（キナカイノール、オクスプレノロール、プロプラノロール、ニセルゴリンなど）、脳防護剤、肝臓防護剤、胃腸用治療剤、避妊剤、経口ワクチン、抗高血圧症薬及び心臓血管又は心臓防護剤例えばベータブロッカー及びニトロ誘導体から選択する、前記の請求項の一つに記載の方法。
【請求項１１】
活性物質が、パラセタモール（アセチル−パラ−アミノフェノール）である、前記の請求項の一つに記載の方法。
【請求項１２】
出発活性物質が、２〜２００μｍに及ぶ全体的粒度、２０〜７０μｍのｄ５０寸法及び約６０〜１５０％のＣＶを有する、請求項１１に記載の方法。
【請求項１３】
装置が、供給ホッパー２８と連絡していて且つ顆粒化中の混合物の温度制御を確実にするための熱交換液体を含むジャケット１８に囲まれた円筒状タンク１６よりなり、その中にはタンクの軸に沿って平行に並んだ同じモーター２４により駆動される、ねじれた攪拌用ブレード２２を備えた２つの二重反転攪拌用シャフト２０を配置してある、前記の請求項の一つに記載の方法。
【請求項１４】
顆粒化中の混合物の温度制御を確実にするための熱交換液体を含むジャケット１８に囲まれ、一般にステンレス鋼から作られた円筒状タンク１６を含み、その中に、タンクの軸に沿って平行に並べて同じモーター２４により駆動される、ねじれた攪拌用ブレード２２を備えた２つの二重反転攪拌用シャフト２０を配置した装置の、少なくとも一の医薬用活性物質の顆粒化のための利用。
【発明の詳細な説明】
【０００１】
この発明は、医薬組成物のための活性成分の顆粒化に関係するものである。
【０００２】
顆粒化は、一般に、粉末の粒子サイズを増大させることを可能にする技術である。一層詳細には、その目的は、微粉固体を、顆粒と呼ばれるサイズの変化しうる多少強く且つ多少多孔性の凝集物に変換することである。これらの顆粒は、これらの成分の単なる乾燥混合物よりも一層優れた流動性及び機械的特性を有し、顆粒化は、ドライミキシング操作中に認めうるデミキシングの現象を回避することを可能にする。
【０００３】
湿潤経路、融解経路及び乾燥経路の３つの主要な顆粒化経路がある。乾燥顆粒化は、一般に、ストレス下で粒子間の凝集（例えば、成分混合物の乾燥圧縮）を獲得しがちな生成物に好適である。融解顆粒化は、一般に、低い多孔度の顆粒が望まれる熱安定性の生成物について行われる（例えば、融解ポリマーに懸濁させた活性成分の押出しにより）。湿潤顆粒化については、これは、成分混合物への溶液の添加を必要とし、その目的は、結合剤として作用させ、そうして、粒子同士の凝集に寄与することである。従って、この第三の経路は、一般に、連続的な乾燥ステップを行うことを含んでいる。
【０００４】
本発明は、一層詳細には、いわゆる湿潤経路による医薬用媒質中での顆粒化に関係するものである。
【０００５】
慣用的に、顆粒形態の医薬の活性成分の配合は、順次的に行われる。第一ステップにおいては、様々な活性成分と組み合わせる賦形剤との混合物を調製する。顆粒形態でのこの混合物の配合は、第二ステップで連続的に行われ、従って、それは、第一ステップとは別に行われる。
【０００６】
実際には、最終製品を得るために提案された変換プロセスを、コストに関して最適化するように、連続的操作が開発されている。
【０００７】
これについて、本発明は、一種以上の医薬用活性物質を顆粒形態で配合する方法であって、顆粒化すべき様々な成分を連続的に導入して、それらの混合物を、一つのチャンバー及び少なくとも一つのロータリー攪拌アームを含む装置を用いて、有効量の結合剤溶液の存在下で該顆粒が得られるまで顆粒化することを特徴とする当該方法に関係する。
【０００８】
本発明の目的に関して、「連続的」は、活性物質の変換プロセスに中断がないことを意味する。特に、様々な成分の導入のための操作及び顆粒化のための操作を連続的に行う。
【０００９】
従って、請求している方法は、顆粒化プロセスの通常のバッチ式操作を不要にする利点を有しており、潜在的な経済的利益を生じる。
【００１０】
同様に、この発明の好適な具体例において、得られた顆粒の乾燥操作も又、連続的に（即ち、顆粒化ステップに引き続いて）行われる。
【００１１】
この発明の方法は、好ましくは、供給ホッパー１２と連絡していて且つ排出口１４を含む円筒形状の図１に示したミキサー１０を用いて実施する。それは、好ましくは、連続的に機能する２軸スクリューである。
【００１２】
一層詳細には、ミキサー１０は、一般にステンレス鋼で作られた円筒状のタンク１６よりなる。このタンクは、顆粒化ステップ中の温度制御を確実にするための熱交換液体を含むジャケット１８により囲まれている。
【００１３】
タンク１６内には、ねじれた攪拌用ブレード２２を備えた２つの二重反転攪拌用シャフト２０が配置されている。これらのシャフトは、タンクの軸に沿って平行に並んで配置されており、同じモーター２４によって駆動される。
【００１４】
ミキサー１０は又、液体（一層、詳細には、結合剤溶液）を注入するための点をも、該ミキサーの底部または頂部に含んでいる。
【００１５】
その上、このタンクには、その上流部分に、固体の活性物質のための入口２６が与えられており、そこには、ホッパー１２の出口が接続されている。
【００１６】
この混合用チャンバー内で配合すべき成分を、供給ホッパー１２を介して導入する。
【００１７】
この結合剤溶液は、別々に、チャンバーに導入される。それは、その中に、少なくとも１つの注入点によって、様々な固体成分の溶液に伴って導入される。
【００１８】
結合剤溶液は、一般に、周囲温度で即ち１５〜４０℃で導入する。請求している方法の一具体例によれば、この結合剤溶液を、周囲温度より高温で、好ましくは４０〜９０℃で導入する。
【００１９】
顆粒化を、化合物の組合せをチャンバー内で、好ましくは２０〜１５０℃の、好ましくは２０〜８０℃の温度で、こ（れら）のシャフトによって攪拌することによって、迅速に行う。
【００２０】
一般に、平均の顆粒化時間は、数分のオーダーである。
【００２１】
この発明の方法の特に上記の装置を用いた実施のためには、最適の顆粒化条件を維持するために、５０〜２５０ｋｇ／時の好ましくは約６０〜１８０ｋｇ／時の固体活性物質の供給速度及び約１００〜４００ｒｐｍの回転速度を確実にすることが勧められる。
【００２２】
この混合用チャンバーの出口では、顆粒の後続の利用に合わせた残留湿度を維持するように、好ましくは流動床にて、顆粒を連続的に乾燥させることができる。
【００２３】
これらの顆粒を、適宜、較正用メッシュを通すことにより、較正することもできる。一般に、次いで、ふるい分けによって、粒度を測定する。
【００２４】
粒子の粒度は、一般に、変動係数（ＣＶ）によって規定される。このＣＶは、粒度分布をパーセンテージ値で表し；ＣＶが大きいほど、粒度分布の広がりも大きい。
【数１】
ＣＶ＝１００×（ｄ８４−ｄ１６）／２．ｄ５０
定義は、下記の通りである：
−  平均直径ｄ５０は、粒子の５０重量％が、この平均直径より大きいか又は小さい直径を有する当該平均直径であり、
−  ｄ１６は、粒子の１６重量％が、この直径より小さい直径を有する直径であり、
−  ｄ８４は、粒子の８４重量％が、この直径より小さい直径を有する直径である。
【００２５】
較正ステップの後で、請求している方法の後に得られるこの発明の生成物の変動係数は、３０〜１００％に及び、好ましくは、４０〜９０％に及ぶ。それらの粒度は、一般に、ｄ５０が、１００〜８００μｍに及び、これは、粒子の平均寸法を表し、一般に、３００〜５００μｍである。
【００２６】
請求している方法の後に得られる生成物の顆粒化状態は、特に満足すべきものであるようである。この生成物の顆粒化は、顆粒が少量の微粉しか含まないので、完全である。それ故、それらは、粉っぽすぎることはない。
【００２７】
有利には、この種の顆粒は、特に、錠剤化に適しており、それ故、錠剤の形成用に適当である。
【００２８】
言うまでもなく、この錠剤化操作は、当業者の能力内に入る。こうして得られた錠剤の凝集特性、脆砕性及び分解時間に関する医薬的評価も又、満足すべきものであり、後記の実施例に示してある。
【００２９】
請求している方法により配合されうる医薬用活性物質は、アセブタロール塩酸塩のように高度に水溶性であっても、パラセタモールのように控えめに水溶性であってもよい。
【００３０】
本発明による方法で用いることのできる活性物質の内で、非制限的仕方で、非ステロイド系抗リウマチ薬及び抗炎症薬（ケトプロフェン、イブプロフェン、フルルビプロフェン、インドメタシン、フェニルブタゾン、アロプリノール、ナブメトンなど）、オピエート又は非オピエート鎮痛薬（パラセタモール、フェナセチン、アスピリンなど）、鎮咳薬（コデイン、コデシリン、アリメマジンなど）、向精神薬（トリミプラミン、アミネプチン、クロルプロマジン、フェノチアジン誘導体、ジアゼピン、ロラゼパム、ニトラゼパム、メプロバメート、ゾピクロン及びシクロピロロンファミリーの誘導体など）、ステロイド（ヒドロコルチゾン、コルチゾン、プロゲステロン、テストステロン、プレドニゾロン、トリアシノロン、デキサメタゾン、ベタメタゾン、パラメタゾン、フルオシノロン、ベクロメタゾンなど）、バルビツレート（バルビタール、アロバルビタール、フェノバルビタール、ペントバルビタール、アモバルビタールなど）、抗菌剤（ペフロキサシン、スパルフロキサシン、キノリンファミリーの誘導体、テトラサイクリン、シネルジスチン、メトロニダゾールなど）、アレルギー治療を意図した薬物、特に、抗喘息薬、抗痙攣薬及び抗分泌薬（オメプラゾール）、脳血管拡張薬（キナカイノール、オクスプレノロール、プロプラノロール、ニセルゴリンなど）、脳防護剤、肝臓防護剤、胃腸用治療剤、避妊剤、経口ワクチン、抗高血圧症薬及び心臓血管又は心臓防護剤例えばベータブロッカー及びニトロ誘導体を挙げることができる。
【００３１】
本発明の方法により調製される医薬用顆粒に含有される活性物質の量は、広範囲で変化しうる。それは、一層詳細には、全組成物の０．００１〜９８重量％であり、残りは、合わせた賦形剤よりなる。
【００３２】
請求している方法は、特に、パラセタモール（アセチル−パラ−アミノフェノール）の顆粒化に有利である。この特定の場合には、２〜２００μｍに及ぶ全体的粒度、２０〜７０μｍのｄ５０寸法及び約６０〜１５０％のＣＶを有する出発物質パラセタモールを用いることは好ましい。
【００３３】
これらの医薬用活性成分は、顆粒の通常の望まれる特性を得ることを可能にする賦形剤と配合することができる。これらの賦形剤は、希釈剤例えばラクトース、シュークロース又はリン酸カルシウム；凝集剤例えば親水性ポリマー例えばポリビニルピロリドン、セルロース、セルロース誘導体（ヒドロキシプロピルメチルセルロース、エチルセルロース）、天然ガム、改質天然ガム又は合成ガム（ゼラチン、イナゴマメガム、グアーガム、キサンタンガム、アルギネート、カラギーナン）、天然のままの又は前以って調理した澱粉、崩壊剤例えば天然のままの澱粉、超崩壊剤例えばナトリウム澱粉グリコレート；流動剤例えばシリカ又はタルク；潤滑剤例えばステアリン酸、ステアリン酸マグネシウム又はステアリン酸カルシウム；防腐剤例えばソルビン酸カリウム、クエン酸又はアスコルビン酸であってよい。この成分の組合せを、一般に、顆粒化すべき活性成分を有する装置内に導入する。しかしながら、これらの賦形剤は、部分的に又は全体的に、結合剤溶液に混合することができる。
【００３４】
特に、この結合剤溶液については、それは、一般に、水である。この結合剤溶液は、配合すべき活性物質粒子の凝集をその性質により促進する物質を混合して顆粒を形成することができる。結合剤例えばポリビニルピロリドン、セルロース、セルロース誘導体（ヒドロキシプロピルメチルセルロース、ヒドロキシプロピルセルロース）、天然ガム、改質天然ガム又は合成ガム（ゼラチン、イナゴマメガム、グアーガム、キサンタンガム、アルギネート、カラギーナン）及び天然のままの又は前以って調理した澱粉は、特に、この種の機能に適している。
【００３５】
この結合剤溶液は、一般に、顆粒化すべき活性物質の４０〜１００重量％の割合で用いる。実際には、その量は、非常に変化しえて、特に配合すべき成分の性質（溶解度、吸湿性、粒度分布、レオロジー）及び通常所望される特性（機械的特性、粒度分布）と関係している。この量の調節は、特に、当業者の能力の内にある。
【００３６】
本発明の主題は又、顆粒化中の混合物の温度制御を確実にするための熱交換液体を含むジャケット１８に囲まれ、一般にステンレス鋼から作られた円筒状タンク１６を含み、その中に、タンクの軸に沿って平行に並べて同じモーター２４により駆動される、ねじれた攪拌用ブレード２２を備えた２つの二重反転攪拌用シャフト２０を配置した装置の、少なくとも一の医薬用活性物質の顆粒化のための利用でもある。
【００３７】
以下の実施例及び図面は、本発明の非制限的な説明として与えるものである。
【００３８】
材料と方法
この手順は、実施されたすべての試験（滞留時間測定、顆粒化試験など）について同じである。
【００３９】
図１に示した装置を用いる。
この顆粒化機械は、前述の連続運転式の２軸スクリューミキサー （Ｃｌｅｘｔｒａｌ １５０ ｌ プレコンディショナー） である。
【００４０】
これらの混合用シャフトを駆動するためのモーターは、５．５ｋＷの電力定格を有する。シャフトの回転速度は、８０〜４２０ｒｐｍである。ジャケット内の循環を有するサーモスタットにより維持された浴を用いる。
【００４１】
減量計量ホッパーは、混合物への一定の供給速度を調節する。このミキサーからの生成物の出口は、底部にある。
【００４２】
これらの試験は、パラセタモール又はアセチル−パラ−アミノフェノール（Ｒｈｏｄａｐａｐ Ｐｕｌｖｅｒｉｓｅ Ｄｅｎｓｅ ＮＰ， Ｒｈｏｄｉａ）を活性成分として用い、その供給速度を、６０〜１２０ｋｇ／時で変化させた。結合剤溶液は、脱イオン水とトウモロコシ澱粉（Ａｍｉｄｏｎ ｄｅ Ｍａｉｓ Ｅｘｔｒａ−Ｂｌａｎｃ， Ｑｕａｌｉｔｅ Ａｌｉｍｅｎｔａｉｒｅ ［特別白色トウモロコシ澱粉、食品等級］、Ｒｏｑｕｅｔｔｅ Ｆｒｅｒｅｓ）よりなる（３ｋｇの澱粉当たり２０ｋｇの水の割合）。この溶液を、この澱粉を顆粒化させるために、ジャケット付きの攪拌用タンク内で、８０〜８５℃で少なくとも２０分間調理し、次いで、ミキサー内へ、２０〜６０ｋｇ／時の流量で注入する。
【００４３】
実施例１
この試験において、パラセタモールの供給速度は、９０ｋｇ／時に、結合剤溶液のそれは、３０ｋｇ／時に設定した（ミキサーシャフトの回転速度２９０ｒｐｍにつき）。２つの顆粒試料をミキサーの出口から採り、次いで、残留水分含量２．０〜２．５％まで乾燥させた。それらを、最終的に、８００μｍメッシュを用いて較正する。下記の表Ｉは、較正後に得られた顆粒についての粒度分布の測定結果を示している。
【００４４】
【表１】
表Ｉ
2004500193.tif 000002
【００４５】
これら２つの試料を、それぞれ、結合剤溶液のミキサーへの注入開始後、２６分と４２分に採った。ふるい分けによる粒度分析（Ｒｅｔｓｃｈ ＡＳ ２００ 振動ふるい、１００ｇの試料、１．５ｍｍの振動、１０分の継続時間）は、較正ステップ後の顆粒が、低いＣＶにより示されるように狭いサイズ分布を有するということ及び高いｄ１０値により示されるように顆粒化が完全であることを示す（活性成分は、出発時には、２〜８０μｍのｄ５０値を有する）。得られた顆粒は、こうして、非常に粉っぽさが少ない。
【００４６】
実施例２
この新しい試験において、パラセタモールの供給速度は、９０ｋｇ／時に設定し、結合剤溶液のそれは、４２ｋｇ／時に増大させた（２９０ｒｐｍに維持された混合用シャフトの回転速度につき）。３つの顆粒試料をミキサーの出口で採り、次いで、２．０〜２．５％の残留水分含量まで乾燥させ、最終的に、８００μｍメッシュを用いて較正した。下記の表ＩＩは、ミキサーを出る顆粒の残留水分含量結果及び較正後に得られた顆粒のパラセタモール力価を与える。
【００４７】
【表２】
表ＩＩ
2004500193.tif 000003
【００４８】
残留水分含量は、Ｍｅｔｔｌｅｒ ＰＭ４６０サーモバランス（３〜４ｇの試料、１０５℃の温度、１５分の継続時間）にて、重量喪失により測定するが、パラセタモール力価は、乾燥及び較正後に顆粒を完全に溶解させ、Ｐｅｒｋｉｎ Ｅｌｍｅｒ Ｌａｍｂｄａ ２０ ＵＶ分光計を用いて２４０ｎｍでの吸光度を参照用試料と比較することにより得られる。
【００４９】
得られた結果は、この方法が、ミキサーを出る顆粒試料を用いた場合に、類似の残留水分含量を有する様々な期間において安定であることを示している。この安定性は、これらの同じ試料につき得られた匹敵するパラセタモール含量により確認される。その上、これらの顆粒組成物の均質性は、組成物を顆粒レベルに固定して、成分の単純な乾燥混合中に認められうるデミキシング現象を回避するこの連続的顆粒化方法の利点を示す。
【００５０】
実施例３
顆粒化方法を用いて所望する目的の一つは、出発活性成分の通常の特性又はそれらの賦形剤との単純な混合を改善することである。パラセタモールの場合には、望まれる本質的な特性は、顆粒の圧縮可能性である。
【００５１】
この実施例においては、崩壊剤即ちトウモロコシ澱粉（Ａｍｉｄｏｎ ｄｅ Ｍａｉｓ Ｅｘｔｒａ−Ｂｌａｎｃ， Ｑｕａｌｉｔｅ Ａｌｉｍｅｎｔａｉｒｅ ［特別白色トウモロコシ澱粉、食品等級］、Ｒｏｑｕｅｔｔｅ Ｆｒｅｒｅｓ）及び潤滑剤、ステアリン酸マグネシウム（Ｍａｇｎｅｓｉｕｍ Ｓｔｅａｒａｔｅ， Ｐｒｏｐｈａｒｍ）をこの発明の手段により生成した顆粒に加える。これらの賦形剤を、乾燥混合機に加える（Ｒｅｔｓｃｈ Ｂｉｃｏｎｅ，攪拌速度４０ｒｐｍ、混合時間２０分間）。こうして得られた混合物を、輪転機（Ｍａｎｅｓｔｙ １６−ステーションＢｅｔａｐｒｅｓｓ、二枚羽根供給式）に供給し、斜面付きの直径１２．５ｍｍの平らな錠剤を製造する。
【００５２】
これらの錠剤は、それらの幾何学的特性（直径、厚さ）、質量及び機械的特性（破壊強さ、脆砕性）により特性表示される。これらの測定を、Ｃｏｎｔｅｓｔａｒ機及びＥｒｗｅｋａ ＴＡ ２０脆砕性ベンチ（Ｍｅｔｔｌｅｒ ＰＭ ４００電子式バランスと結合）を用いて行う。これらの錠剤の凝集力（ＭＰａで表示）は、破壊強さ及び下記式による幾何学的データから計算される等級である：
【数２】
凝集力＝２×破壊強さ／（π×直径×厚さ）
【００５３】
下記の表ＩＩＩ及びＩＶは、表２に記載の操作条件に従って得られた顆粒から製造した種々の配合の錠剤について行った測定の結果を示している。
【００５４】
表ＩＩＩ
配合：実施例２の顆粒１０００．０ｇ＋澱粉６１．５ｇ＋ステアリン酸マグネシウム２．０ｇ
【表３】
2004500193.tif 000004
【００５５】
表ＩＶ
配合：実施例２の顆粒１０００．０ｇ＋澱粉２７．３ｇ＋ステアリン酸マグネシウム２．０ｇ
【表４】
2004500193.tif 000005
【００５６】
これらの結果は、４５，０００錠剤／分のペレット化速度で製造した錠剤を用いて得られた（０．５ｔの予備圧縮力を適用）。この顆粒化は、錠剤の質量について得られた低い標準偏差により示されるように、成分の単純混合物の流動特性を実質的に改善する（０．１％より小さい、一般に約０．６％の標準偏差）。
【００５７】
更に、これらの製造された錠剤は、凝集力及び脆砕性データにより示されるように、満足すべき機械的特性を有している（特に、欧州及び米国の薬局方により一般に要求される脆砕性レベルが最大で１．０％の場合）。
【００５８】
一般に、顆粒化活性成分のペレット化ステップの満足すべき進行は、水が顆粒にペレット化ステップにおいて必要とされる塑性変形能力を与えるので、これらの顆粒の水分含量に非常に密接に関係している。従って、このペレット化ステップ中に本発明により生成される顆粒の満足すべき振る舞いは、これらの顆粒の残留水分含量及び本願の連続的顆粒化プロセスにおけるこのパラメーターの満足すべき制御に非常に密接に関係している。
【００５９】
その上、「実施例２の顆粒１０００．０ｇ＋澱粉２７．３ｇ＋ステアリン酸マグネシウム２．０ｇ」から得られた錠剤に対するパラセタモール力価の測定（上記の方法による。実施例２参照）は、８８．６％±０．５％に等しい値を与える。これは、ここに記載の連続的顆粒化方法により得られた顆粒の均質性を確実にする。
【図面の簡単な説明】
【図１】
顆粒化プラントの図式表示である。
【国際公開パンフレット】
2004500193.tif 000006
2004500193.tif 000007
2004500193.tif 000008
2004500193.tif 000009
2004500193.tif 000010
2004500193.tif 000011
2004500193.tif 000012
2004500193.tif 000013
2004500193.tif 000014
2004500193.tif 000015
2004500193.tif 000016
2004500193.tif 000017
2004500193.tif 000018
2004500193.tif 000019
2004500193.tif 000020
2004500193.tif 000021
2004500193.tif 000022
2004500193.tif 000023
2004500193.tif 000024
【国際調査報告】
2004500193.tif 000025
2004500193.tif 000026
2004500193.tif 000027
2004500193.tif 000028